(57)【特許請求の範囲】
【請求項１】
柔軟性のあるテープのチップ搭載部にＩＣチップが搭載された電気部品に対して導通試験を行うための電気部品用ソケットであって、
前記電気部品が収容される収容部を有するソケット本体を有し、
前記ソケット本体の前記収容部に前記電気部品が収容された状態で、当該電気部品の前記テープの前記チップ搭載部を挟んで互いに対向する一端部および他端部をそれぞれ把持する第１把持部材および第２把持部材を備え、
これらの第１把持部材および第２把持部材がそれぞれ前記電気部品の前記テープの一端部および他端部を把持した状態で、これらの第１把持部材および第２把持部材が互いに近づく方向に少なくとも一方を移動させることにより、当該電気部品の前記テープの前記チップ搭載部が山形に折り曲げられるように構成されていることを特徴とする電気部品用ソケット。
【請求項２】
前記第１把持部材は、前記ソケット本体のベース部に対して上下動自在に支持されるとともに、前記電気部品の前記テープの一端部が収容される第１収容部が形成されたフローティングプレートと、このフローティングプレートに対して着脱自在に設けられた第１ラッチとを含み、当該フローティングプレートに当該第１ラッチを装着して前記電気部品の前記テープの一端部を把持することにより、この一端部が固定されるように構成され、
前記第２把持部材は、前記ソケット本体の前記ベース部に対して水平方向に移動自在に支持されるとともに、前記電気部品の前記テープの他端部が収容される第２収容部が形成されたスライドプレートと、このスライドプレートに対して着脱自在に設けられた第２ラッチとを含み、当該スライドプレートに当該第２ラッチを装着して前記電気部品の前記テープの他端部を把持することにより、この他端部が固定されるように構成されていることを特徴とする請求項１に記載の電気部品用ソケット。
【請求項３】
前記スライドプレートの前記第２ラッチ側の端部にテープ誘導部材が上向きに突出するように形成され、前記電気部品の前記テープの他端部が前記第２収容部に収容されて前記第２ラッチで把持されたときに、当該電気部品の前記テープの一部が前記テープ誘導部材に誘導されて立ち上がることにより、第１把持部材および第２把持部材が互いに近づく方向に少なくとも一方が移動すると、前記電気部品の前記テープの前記チップ搭載部が山形に折り曲げられるように構成されていることを特徴とする請求項２に記載の電気部品用ソケット。
【請求項４】
前記第１把持部材および前記第２把持部材が互いに近づく方向に少なくとも一方を移動させる推進機構が設けられていることを特徴とする請求項１乃至３のいずれかに記載の電気部品用ソケット。
【請求項５】
前記ソケット本体にカバー部材が開閉自在に設けられ、このカバー部材にテーパー形の駆動片が形成されるとともに、この駆動片に係合する従動片が前記第１把持部材または前記第２把持部材に形成され、
前記カバー部材を閉じることにより、前記駆動片が前記従動片に係合して、前記第１把持部材または前記第２把持部材の一方が他方に近づく方向に移動するように構成されていることを特徴とする請求項１乃至３のいずれかに記載の電気部品用ソケット。
【請求項６】
前記カバー部材が閉じられた状態で前記電気部品の前記テープの前記チップ搭載部の折り曲げ形状を外部から視認できる開口が形成されていることを特徴とする請求項５に記載の電気部品用ソケット。
【発明の詳細な説明】
【技術分野】
【０００１】
この発明は、例えば、柔軟性のあるテープにＩＣチップが搭載された電気部品を折り曲げた状態（つまり、この電気部品に曲げ応力の負荷を与えた状態）で実装する製品について、その電気部品を導通試験で評価する際に適用するのに好適な電気部品用ソケットに関するものである。
【背景技術】
【０００２】
従来からこの種の「電気部品用ソケット」としては、「電気部品」であるボール・グリッド・アレイ・タイプのＩＣパッケージを着脱自在に収容するＩＣソケットがある（例えば、特許文献１参照）。このＩＣソケットとしては、一般に、ソケット本体にＩＣパッケージを平らな状態で収容し、その平らな状態のまま評価するものが広く使用されている。
【０００３】
また、ＩＣパッケージには、上記のボール・グリッド・アレイ・タイプの他に、ＴＣＰ（Tape Carrier Package）と称される接触実装型のものがある。このＴＣＰは、そのテープの柔軟性を利用して、テープを折り曲げた状態で製品に実装される場合がある。
【先行技術文献】
【特許文献】
【０００４】
【特許文献１】特開２００３−１７８８４７号公報
【発明の概要】
【発明が解決しようとする課題】
【０００５】
しかしながら、この場合、上記のＩＣソケットを用いてＴＣＰを平らな状態で評価したのでは、ＴＣＰの評価状態（平らな状態）がその実装状態（折り曲げ状態）から乖離することになり、ＴＣＰの評価が必ずしも適正なものとは言えない。そのため、ＴＣＰの実装状態に合わせて、このＴＣＰを折り曲げた状態で評価する手法が望まれていた。
【０００６】
そこで、この発明は、柔軟性のあるテープにＩＣチップが搭載された電気部品を折り曲げた状態で実装する場合と同様に、この電気部品を折り曲げた状態で適正に評価することが可能な電気部品用ソケットを提供することを課題としている。
【課題を解決するための手段】
【０００７】
かかる課題を達成するために、請求項１に記載の発明は、柔軟性のあるテープのチップ搭載部にＩＣチップが搭載された電気部品に対して導通試験を行うための電気部品用ソケットであって、前記電気部品が収容される収容部を有するソケット本体を有し、前記ソケット本体の前記収容部に前記電気部品が収容された状態で、当該電気部品の前記テープの前記チップ搭載部を挟んで互いに対向する一端部および他端部をそれぞれ把持する第１把持部材および第２把持部材を備え、これらの第１把持部材および第２把持部材がそれぞれ前記電気部品の前記テープの一端部および他端部を把持した状態で、これらの第１把持部材および第２把持部材が互いに近づく方向に少なくとも一方を移動させることにより、当該電気部品の前記テープの前記チップ搭載部が山形に折り曲げられるように構成されている電気部品用ソケットとしたことを特徴とする。
【０００８】
また、請求項２に記載の発明は、請求項１に記載の構成に加え、前記第１把持部材は、前記ソケット本体のベース部に対して上下動自在に支持されるとともに、前記電気部品の前記テープの一端部が収容される第１収容部が形成されたフローティングプレートと、このフローティングプレートに対して着脱自在に設けられた第１ラッチとを含み、当該フローティングプレートに当該第１ラッチを装着して前記電気部品の前記テープの一端部を把持することにより、この一端部が固定されるように構成され、前記第２把持部材は、前記ソケット本体の前記ベース部に対して水平方向に移動自在に支持されるとともに、前記電気部品の前記テープの他端部が収容される第２収容部が形成されたスライドプレートと、このスライドプレートに対して着脱自在に設けられた第２ラッチとを含み、当該スライドプレートに当該第２ラッチを装着して前記電気部品の前記テープの他端部を把持することにより、この他端部が固定されるように構成されていることを特徴とする。
【０００９】
また、請求項３に記載の発明は、請求項２に記載の構成に加え、前記スライドプレートの前記第２ラッチ側の端部にテープ誘導部材が上向きに突出するように形成され、前記電気部品の前記テープの他端部が前記第２収容部に収容されて前記第２ラッチで把持されたときに、当該電気部品の前記テープの一部が前記テープ誘導部材に誘導されて立ち上がることにより、第１把持部材および第２把持部材が互いに近づく方向に少なくとも一方が移動すると、前記電気部品の前記テープの前記チップ搭載部が山形に折り曲げられるように構成されていることを特徴とする。
【００１０】
また、請求項４に記載の発明は、請求項１乃至３のいずれかに記載の構成に加え、前記第１把持部材および前記第２把持部材が互いに近づく方向に少なくとも一方を移動させる推進機構が設けられていることを特徴とする。
【００１１】
また、請求項５に記載の発明は、請求項１乃至３のいずれかに記載の構成に加え、前記ソケット本体にカバー部材が開閉自在に設けられ、このカバー部材にテーパー形の駆動片が形成されるとともに、この駆動片に係合する従動片が前記第１把持部材または前記第２把持部材に形成され、前記カバー部材を閉じることにより、前記駆動片が前記従動片に係合して、前記第１把持部材または前記第２把持部材の一方が他方に近づく方向に移動するように構成されていることを特徴とする。
【００１２】
また、請求項６に記載の発明は、請求項５に記載の構成に加え、前記カバー部材が閉じられた状態で前記電気部品の前記テープの前記チップ搭載部の折り曲げ形状を外部から視認できる開口が形成されていることを特徴とする。
【発明の効果】
【００１３】
請求項１に記載の発明によれば、柔軟性のあるテープにＩＣチップが搭載された電気部品の導通試験を行う際に、この電気部品のテープの一端部および他端部をそれぞれ第１把持部材および第２把持部材で把持した状態で、これらの第１把持部材および第２把持部材を互いに近づけることにより、この電気部品のテープを山形に折り曲げることができる。そのため、柔軟性のあるテープにＩＣチップが搭載された電気部品を折り曲げた状態で実装する場合と同様に、この電気部品を折り曲げた状態で適正に評価することが可能となる。
【００１４】
請求項２に記載の発明によれば、フローティングプレートに第１ラッチを装着して電気部品のテープの一端部を把持するとともに、スライドプレートに第２ラッチを装着して電気部品のテープの他端部を把持することにより、このテープの一端部および他端部をそれぞれ第１把持部材および第２把持部材に固定することができる。したがって、フローティングプレートの採用によってコンタクトピンの接圧を一定に保持しつつ、簡単な構造を有する電気部品用ソケットを得ることができる。
【００１５】
請求項３に記載の発明によれば、電気部品のテープの他端部をスライドプレートおよび第２ラッチで把持したときに、このテープの山形の折り曲げ動作を誘因するようにテープの一部が変形する。その結果、柔軟性のあるテープにＩＣチップが搭載された電気部品の導通試験を行う際に、このテープの山形の折り曲げ動作を確実に実行することが可能となる。
【００１６】
請求項４に記載の発明によれば、推進機構により、第１把持部材および第２把持部材を互いに近づけることができる。したがって、電気部品用ソケットの操作性を高めることが可能となる。
【００１７】
請求項５に記載の発明によれば、カバー部材を閉じるだけで、第１把持部材および第２把持部材を互いに近づけることができる。そのため、上述した電気部品の折り曲げ状態での評価を容易に実施することが可能となる。
【００１８】
請求項６に記載の発明によれば、カバー部材が閉じられた状態でも、電気部品のテープの実際の折り曲げ形状を外部から開口を通して視認することができる。その結果、電気部品用ソケットの使い勝手を向上させることが可能となる。
【図面の簡単な説明】
【００１９】
【図１】この発明の実施の形態１に係る電気部品用ソケットおいて、そのカバー部材を閉じた状態を示す斜視図である。
【図２】同実施の形態１に係る電気部品用ソケットにおいて、そのカバー部材を開いた状態を示す斜視図である。
【図３】同実施の形態１に係る電気部品用ソケットにおいて、そのカバー部材を閉じた状態を示す図であって、（ａ）はその平面図、（ｂ）はその背面図、（ｃ）はその側面図、（ｄ）は（ａ）のＡ−Ａ線による断面図、（ｅ）は（ａ）のＢ−Ｂ線による断面図である。
【図４】同実施の形態１に係る電気部品用ソケットにおいて、そのカバー部材を開いた状態を示す図であって、（ａ）はその平面図、（ｂ）は（ａ）のＣ−Ｃ線による断面図である。
【図５】同実施の形態１に係る電気部品用ソケットに収容されるＴＣＰの背面図である。
【図６】同実施の形態１に係る電気部品用ソケットの取り扱い手順において、フローティングプレートおよびスライドプレートにＴＣＰを着座させる工程を示す斜視図である。
【図７】同実施の形態１に係る電気部品用ソケットの取り扱い手順において、第１ラッチおよび第２ラッチを閉じる工程を示す斜視図である。
【図８】同実施の形態１に係る電気部品用ソケットの取り扱い手順において、カバー部材を閉じる工程を示す側面図であって、（ａ）は第２把持部材が後退した状態図、（ｂ）は第２把持部材が前進した状態図である。
【発明を実施するための形態】
【００２０】
以下、この発明の実施の形態について説明する。
【００２１】
［発明の実施の形態１］
図１乃至図８には、この発明の実施の形態１を示す。
【００２２】
この実施の形態１に係る「電気部品用ソケット」としてのＩＣソケット１１は、図４に示すように、配線基板Ｐ上に配設されるようになっており、「電気部品」であるＴＣＰ１２等のバーンイン試験等を行うために、このＴＣＰ１２のパッド１２ｄ（図５参照）とその配線基板Ｐの電極（図示せず）との電気的な接続を図るものである。
【００２３】
このＴＣＰ１２は、図５に示すように、配線パターンが形成された柔軟性（可撓性）のあるテープ１２ａを有している。テープ１２ａの下面には、ＩＣチップ１２ｂが搭載されてＴＡＢ（Tape Automated Bonding）技術で配線パターンに接続されているとともに、複数のパッド１２ｄが配線パターンに接続されて取り付けられている。さらに、テープ１２ａの左右両端にはそれぞれ、複数の円形の位置決め孔１２ｃが所定の間隔で直線上に並んで形成されている。そして、ＴＣＰ１２のテープ１２ａには、ＩＣチップ１２ｂが搭載されるチップ搭載部１２ｅと、このチップ搭載部１２ｅを挟んで互いに対向する一端部１２ｆおよび他端部１２ｇとが画定されている。
【００２４】
また、ＩＣソケット１１は、図２に示すように、ＴＣＰ１２が収容される収容部１５（後述する第１収容部１５Ａおよび第２収容部１５Ｂ）を有するソケット本体１３を備えており、ソケット本体１３は略長方形板状のベース部１６を有している。ベース部１６には、図４（ａ）に示すように、複数の馬蹄形のコンタクトピン１４が配設されている。各コンタクトピン１４はそれぞれ、ベース部１６に上方から挿嵌されて固定されるリード部１４ａと、このリード部１４ａから略Ｓ字状に延伸した弾性変形可能な弾性部１４ｂと、この弾性部１４ｂの先端に上向きに突設された接触部１４ｃとから構成されている。そして、配線基板Ｐ上にＩＣソケット１１が配設され、コンタクトピン１４のリード部１４ａが配線基板Ｐの孔（図示せず）に挿通されてはんだ付けされ、このＩＣソケット１１にＴＣＰ１２が収容された状態では、コンタクトピン１４のリード部１４ａが配線基板Ｐの電極に接触するとともに、コンタクトピン１４の接触部１４ｃがＴＣＰ１２のパッド１２ｄに接触することにより、ＴＣＰ１２のパッド１２ｄと配線基板Ｐの電極とがコンタクトピン１４を介して導通するように構成されている。
【００２５】
また、ソケット本体１３は、図２および図４に示すように、収容部１５に収容されたＴＣＰ１２のテープ１２ａの一端部１２ｆを把持する第１把持部材２０を備えている。
【００２６】
この第１把持部材２０は、図４（ｂ）に示すように、ソケット本体１３のベース部１６に対して上下動自在に支持されるとともに、ＴＣＰ１２のテープ１２ａの一端部１２ｆが収容される第１収容部１５Ａが形成されたフローティングプレート２１と、このフローティングプレート２１を上から覆うように、ベース部１６に取り付けられたシャフト１８を中心として矢印Ｍ１、Ｎ１方向に回転する形でベース部１６に開閉自在に取り付けられた第１ラッチ２２とを有している。そして、フローティングプレート２１に対して第１ラッチ２２を閉じてＴＣＰ１２のテープ１２ａの一端部１２ｆを把持することにより、この一端部１２ｆが第１把持部材２０に固定されるように構成されている。具体的には、図２に示すように、第１ラッチ２２に左右一対の第１係止爪２３が形成されるとともに、フローティングプレート２１に左右一対の第１被係止片２４が形成され、フローティングプレート２１の第１収容部１５ＡにＴＣＰ１２のテープ１２ａの一端部１２ｆが収容された状態で第１ラッチ２２を閉じると、第１ラッチ２２の第１係止爪２３がフローティングプレート２１の第１被係止片２４に引っ掛かって係止されることにより、このテープ１２ａの一端部１２ｆが第１把持部材２０に固定されるようになっている。
【００２７】
なお、フローティングプレート２１とベース部１６との間には、図４（ｂ）に示すように、複数の段付き円柱状のスペーサーピン６０が取り付けられるとともに、各スペーサーピン６０の大径部の周囲にそれぞれコイルスプリング６１が縮設されており、このコイルスプリング６１の弾性力により、フローティングプレート２１は常に上向きに付勢された状態になっている。
【００２８】
また、フローティングプレート２１には、図２および図６に示すように、ＴＣＰ１２のテープ１２ａの一端部１２ｆの収容位置をガイドするため、このテープ１２ａの位置決め孔１２ｃに対応して複数の略円錐状のガイドピン２５が所定の間隔で直線上に並んで突設されている。一方、第１ラッチ２２には、これらのガイドピン２５に対応して複数の円形の係合孔２６が所定の間隔で直線上に並んで穿設されている。そして、フローティングプレート２１の第１収容部１５ＡにＴＣＰ１２のテープ１２ａの一端部１２ｆが収容された状態で第１ラッチ２２を閉じたときに、フローティングプレート２１のガイドピン２５が第１ラッチ２２の係合孔２６に係合することにより、ＴＣＰ１２のテープ１２ａの一端部１２ｆを所定の位置で精度よく把持することができるように構成されている。
【００２９】
また、シャフト１８には、図２および図３（ｂ）に示すように、キックばね２９がフローティングプレート２１および第１ラッチ２２に接触して装着されており、このキックばね２９の弾性力により、第１ラッチ２２は常に矢印Ｍ１方向に弾性的に付勢された状態になっている。
【００３０】
さらに、ソケット本体１３は、図２および図４に示すように、収容部１５に収容されたＴＣＰ１２のテープ１２ａの他端部１２ｇを把持する第２把持部材３０を備えている。
【００３１】
この第２把持部材３０は、図４（ｂ）に示すように、ソケット本体１３のベース部１６に対して水平方向（矢印Ｍ８、Ｎ８方向）に移動自在に支持されるとともに、ＴＣＰ１２のテープ１２ａの他端部１２ｇが収容される第２収容部１５Ｂが形成されたスライドプレート３１と、このスライドプレート３１を上から覆うように、スライドプレート３１に取り付けられたシャフト１９を中心として矢印Ｍ２、Ｎ２方向に回転する形でベース部１６に開閉自在に取り付けられた第２ラッチ３２とを有している。そして、スライドプレート３１に対して第２ラッチ３２を閉じてＴＣＰ１２のテープ１２ａの他端部１２ｇを把持することにより、この他端部１２ｇが第２把持部材３０に固定されるように構成されている。具体的には、図２に示すように、第２ラッチ３２に左右一対の第２係止爪３３が形成されるとともに、スライドプレート３１に左右一対の第２被係止片３４が形成され、スライドプレート３１の第２収容部１５ＢにＴＣＰ１２のテープ１２ａの他端部１２ｇが収容された状態で第２ラッチ３２を閉じると、第２ラッチ３２の第２係止爪３３がスライドプレート３１の第２被係止片３４に引っ掛かって係止されることにより、このテープ１２ａの他端部１２ｇが第２把持部材３０に固定されるようになっている。
【００３２】
なお、スライドプレート３１には、図２および図６に示すように、ＴＣＰ１２のテープ１２ａの他端部１２ｇの収容位置をガイドするため、このテープ１２ａの位置決め孔１２ｃに対応して複数の略円錐状のガイドピン３５が所定の間隔で直線上に並んで突設されている。一方、第２ラッチ３２には、これらのガイドピン３５に対応して複数の円形の係合孔３６が所定の間隔で直線上に並んで穿設されている。そして、スライドプレート３１の第２収容部１５ＢにＴＣＰ１２のテープ１２ａの他端部１２ｇが収容された状態で第２ラッチ３２を閉じたときに、スライドプレート３１のガイドピン３５が第２ラッチ３２の係合孔３６に係合することにより、ＴＣＰ１２のテープ１２ａの他端部１２ｇを所定の位置で精度よく把持することができるように構成されている。
【００３３】
また、スライドプレート３１とベース部１６との間には、図４（ｂ）に示すように、スプリング１７が縮設されており、このスプリング１７の弾性力により、スライドプレート３１は常に矢印Ｍ８方向に弾性的に付勢された状態になっている。
【００３４】
さらに、スライドプレート３１の上面には、ＴＣＰ１２のテープ１２ａのチップ搭載部１２ｅを山形に折り曲げるときに、このチップ搭載部１２ｅが確実に山形に折り曲げられるようにするため、図８に示すように、第２ラッチ３２側の端部に台形断面棒状のテープ誘導部材３７が上向きに突出するように形成されている。
【００３５】
また、シャフト１９には、図３（ｄ）および図４に示すように、キックばね３９がスライドプレート３１および第２ラッチ３２に接触して装着されており、このキックばね３９の弾性力により、第２ラッチ３２は常に矢印Ｍ２方向に弾性的に付勢された状態になっている。
【００３６】
また、ソケット本体１３のベース部１６には、図１乃至図４に示すように、第１把持部材２０および第２把持部材３０を上から覆うように、カバー部材５０がシャフト１８を中心として矢印Ｍ３、Ｎ３方向に回転する形で開閉自在に取り付けられている。すなわち、このカバー部材５０は、略長方形平板状のカバー部材本体５１を有している。カバー部材本体５１の一端部には、図７に示すように、左右一対の連結部５２が一体に形成されており、各連結部５２にはそれぞれ丸孔５３が水平方向に形成されている。そして、カバー部材５０は、２つの連結部５２の丸孔５３がシャフト１８に係合することにより、このシャフト１８を中心として矢印Ｍ３、Ｎ３方向に回転自在になっている。なお、シャフト１８の中央部には、ダブルトーションスプリング（ねじりコイルばね）５４がベース部１６およびカバー部材本体５１に接触して装着されており、このダブルトーションスプリング５４の弾性力により、カバー部材５０は常に矢印Ｍ３方向に弾性的に付勢された状態になっている。
【００３７】
また、カバー部材本体５１の他端部には、図２および図４に示すように、左右一対のシャフト支持片５９が一体に形成されており、これらのシャフト支持片５９には円柱状のシャフト５６が水平方向に挿通されて取り付けられている。シャフト５６にはラッチ５５が、シャフト５６を中心として矢印Ｍ４、Ｎ４方向に回転自在に取り付けられており、このラッチ５５は、図示省略のスプリングの弾性力により、常に矢印Ｎ４方向に付勢された状態になっている。一方、ソケット本体１３のベース部１６の前部には係止片１６ａが形成されている。そして、ダブルトーションスプリング５４の付勢力に抗してカバー部材５０を矢印Ｎ３方向に回転させて閉じ、ラッチ５５の係止爪５５ａをベース部１６の係止片１６ａに係止すれば、カバー部材５０を閉じた状態で固定することができるとともに、この状態で、ラッチ５５の押圧部５５ｂを押して係止爪５５ａと係止片１６ａとの係止状態を解除すれば、ダブルトーションスプリング５４の付勢力により、カバー部材５０を矢印Ｍ３方向に回転させて開けることができるように構成されている。
【００３８】
さらに、カバー部材５０には、図１乃至図４に示すように、第２把持部材３０を第１把持部材２０側へ移動させる推進機構４０が組み込まれている。
【００３９】
この推進機構４０は、具体的には、図３（ａ）、（ｄ）、（ｅ）および図４（ｂ）に示すように、カバー部材５０のカバー部材本体５１にねじ４７で固定されたスクリュープレート４１と、このスクリュープレート４１に摺動自在に取り付けられた略Ｕ字断面ブロック状のプッシャー４４と、このプッシャー４４の一部に遊挿された状態でスクリュープレート４１に螺着されたスクリュー４２と、このスクリュー４２の頭部に固定されたハンドル４３と、スクリュープレート４１とプッシャー４４との間に縮設されてプッシャー４４を常にハンドル４３側に弾性的に付勢する左右一対のコイルスプリング４６等から構成されている。ここで、プッシャー４４の底面には、図２および図３（ｅ）に示すように、左右一対のテーパー形の駆動片４５が一体に形成されている。一方、第２把持部材３０のスライドプレート３１には、その側面に「従動片」としての左右一対のローラーシャフト３８が横向きに突設されている。
【００４０】
そして、ＩＣソケット１１は、カバー部材５０の開閉状態を問わず、図３（ａ）、（ｄ）に示すように、ハンドル４３をその軸心ＣＴ１を中心として矢印Ｍ５方向に回転させると、スクリュー４２が前進するため、プッシャー４４がコイルスプリング４６の弾性力に抗する形で矢印Ｍ６方向に前進する。逆に、ハンドル４３をその軸心ＣＴ１を中心として矢印Ｎ５方向に回転させると、スクリュー４２が後退するため、プッシャー４４がコイルスプリング４６の弾性力により矢印Ｎ６方向に後退する。このとき、プッシャー４４の移動量は、ハンドル４３の回転角度に比例する。例えば、ハンドル４３を矢印Ｍ５方向に７２０°正転させれば、プッシャー４４がＭ６方向に２ｍｍ前進し、ハンドル４３を矢印Ｎ５方向に３６０°逆転させれば、プッシャー４４がＮ６方向に１ｍｍ後退する。
【００４１】
さらに、カバー部材５０が閉じられた状態では、図３（ｅ）に示すように、プッシャー４４の駆動片４５がスライドプレート３１のローラーシャフト３８に接触して係合しているので、上述したプッシャー４４の前進動作に伴ってプッシャー４４がスライドプレート３１を押圧するため、第２把持部材３０がスプリング１７の弾性力に抗する形で矢印Ｎ７方向に前進し、また、上述したプッシャー４４の後退動作に伴ってスライドプレート３１に対するプッシャー４４の押圧が解除されるため、第２把持部材３０がスプリング１７の弾性力により矢印Ｍ７方向に後退する。
【００４２】
また、カバー部材５０のカバー部材本体５１の表面には、プッシャー４４の移動量を簡単に確認できるようにするため、図１および図３（ａ）に示すように、プッシャー４４の移動量を示す目盛り６３が付されている。
【００４３】
さらに、カバー部材５０のカバー部材本体５１には、ＴＣＰ１２のテープ１２ａのチップ搭載部１２ｅが山形に折り曲げられたときに、その折り曲げ形状をＩＣソケット１１の外部（ＩＣソケット１１の上方および左右両側）から視認できるようにするため、図１、図２および図３（ａ）に示すように、略中央部に「開口」としての観察窓５７が貫通して形成されているとともに、図１および図８に示すように、左右両側部に「開口」としての切り欠き５８が形成されている。
【００４４】
次に、かかるＩＣソケット１１の取り扱い方法について説明する。
【００４５】
まず、図６に示すように、フローティングプレート２１およびスライドプレート３１にＴＣＰ１２を着座させる。それには、カバー部材５０、第１ラッチ２２および第２ラッチ３２がすべて開かれた状態で、ＴＣＰ１２のテープ１２ａの一端部１２ｆをフローティングプレート２１の第１収容部１５Ａに収容するとともに、ＴＣＰ１２のテープ１２ａの他端部１２ｇをスライドプレート３１の第２収容部１５Ｂに収容する。すると、このＴＣＰ１２はソケット本体１３の収容部１５に収容された状態となる。
【００４６】
このとき、フローティングプレート２１には、上述したとおり、ＴＣＰ１２のテープ１２ａの一端部１２ｆの収容位置をガイドするガイドピン２５が設けられているため、このテープ１２ａの一端部１２ｆの収容動作を迅速かつ高精度に行うことができる。また、スライドプレート３１には、上述したとおり、ＴＣＰ１２のテープ１２ａの他端部１２ｇの収容位置をガイドするガイドピン３５が設けられているため、このテープ１２ａの他端部１２ｇの収容動作を迅速かつ高精度に行うことができる。
【００４７】
この状態で、図７に示すように、第１ラッチ２２および第２ラッチ３２をそれぞれ矢印Ｎ１方向および矢印Ｎ２方向に回転させて閉じる。すると、ＴＣＰ１２のテープ１２ａは、一端部１２ｆが第１把持部材２０に固定されるとともに、他端部１２ｇが第２把持部材３０に固定される。
【００４８】
このとき、第２把持部材３０には、上述したとおり、スライドプレート３１の上面にテープ誘導部材３７が上向きに突出するように形成されているので、ＴＣＰ１２のテープ１２ａのチップ搭載部１２ｅは、図８（ａ）に示すように、このテープ誘導部材３７に誘導されて少し立ち上がる。
【００４９】
次いで、図１に示すように、カバー部材５０を矢印Ｎ３方向に回転させて閉じ、ラッチ５５の係止爪５５ａをベース部１６の係止片１６ａに係止することにより、カバー部材５０を閉じた状態で固定する。すると、カバー部材５０のカバー部材本体５１が第１把持部材２０を下向きに押すため、この第１把持部材２０がフローティングプレート２１とともに下降する。その結果、ＴＣＰ１２のパッド１２ｄは、ＩＣソケット１１のコンタクトピン１４に所定の接圧で接触し、このコンタクトピン１４を介して配線基板Ｐの電極に接触して電気的に接続された状態になる。
【００５０】
最後に、ハンドル４３を矢印Ｍ５方向に回して第２把持部材３０を矢印Ｎ７方向に前進させる。すると、第２把持部材３０がＴＣＰ１２のテープ１２ａの他端部１２ｇを把持したまま、このテープ１２ａの一端部１２ｆを把持した第１把持部材２０に近づき、その結果、図８（ｂ）に示すように、ＴＣＰ１２のテープ１２ａのうち第１把持部材２０にも第２把持部材３０にも把持されていない部位、すなわちチップ搭載部１２ｅが山形に折り曲げられる。
【００５１】
このとき、ＴＣＰ１２のテープ１２ａのチップ搭載部１２ｅは、上述したとおり、テープ誘導部材３７に誘導されて立ち上がった状態になっているので、山形の折り曲げ動作が誘因される。したがって、このチップ搭載部１２ｅの山形の折り曲げ動作を確実に実行することが可能となる。
【００５２】
また、ＩＣソケット１１は、上述したとおり、第１把持部材２０が、ソケット本体１３のベース部１６に対して上下動自在に支持されるとともに、ＴＣＰ１２のテープ１２ａの一端部１２ｆが収容される第１収容部１５Ａが形成されたフローティングプレート２１と、このフローティングプレート２１に対して着脱自在に設けられた第１ラッチ２２とを含み、フローティングプレート２１に第１ラッチ２２を装着してＴＣＰ１２のテープ１２ａの一端部１２ｆを把持することにより、この一端部１２ｆが固定されるように構成され、第２把持部材３０が、ソケット本体１３のベース部１６に対して水平方向に移動自在に支持されるとともに、ＴＣＰ１２のテープ１２ａの他端部１２ｇが収容される第２収容部１５Ｂが形成されたスライドプレート３１と、このスライドプレート３１に対して着脱自在に設けられた第２ラッチ３２とを含み、スライドプレート３１に第２ラッチ３２を装着してＴＣＰ１２のテープ１２ａの他端部１２ｇを把持することにより、この他端部１２ｇが固定されるように構成されている。そのため、このテープ１２ａの一端部１２ｆおよび他端部１２ｇをそれぞれ第１把持部材２０および第２把持部材３０に固定することができる。したがって、フローティングプレート２１の採用によってコンタクトピン１４の接圧を一定に保持しつつ、簡単な構造を有するＩＣソケット１１を得ることができる。
【００５３】
さらに、推進機構４０を操作することにより、第２把持部材３０を第１把持部材２０に近づけることができる。したがって、ＩＣソケット１１の操作性を高めることが可能となる。
【００５４】
また、カバー部材５０には、上述したとおり、プッシャー４４の移動量を示す目盛り６３が付されているため、この目盛り６３を見ながらハンドル４３を回すことにより、プッシャー４４の移動量を加減し、ひいてはＴＣＰ１２のテープ１２ａのチップ搭載部１２ｅの山形の折り曲げ具合を調整することが容易になる。
【００５５】
しかも、カバー部材５０のカバー部材本体５１には、上述したとおり、観察窓５７および切り欠き５８が形成されているので、カバー部材５０が閉じられた状態でも、ＴＣＰ１２のテープ１２ａのチップ搭載部１２ｅの実際の折り曲げ形状を観察窓５７および切り欠き５８を通して外部（ＩＣソケット１１の上方および左右両側）から視認することができる。特に、カバー部材本体５１の左右両側部に形成された切り欠き５８を通して見ると、ＴＣＰ１２のテープ１２ａのチップ搭載部１２ｅをその側方から眺めることになるため、このテープ１２ａのチップ搭載部１２ｅの折り曲げ形状を明確に把握することができる。その結果、ＩＣソケット１１の使い勝手を向上させることが可能となる。
【００５６】
こうして、ＴＣＰ１２のテープ１２ａのチップ搭載部１２ｅが山形に折り曲げられた状態で、ＴＣＰ１２に電流を流してバーンイン試験等を行うことにより、ＴＣＰ１２を折り曲げた状態で評価することができる。
【００５７】
このように、この実施の形態１では、柔軟性のあるテープ１２ａにＩＣチップ１２ｂが搭載されたＴＣＰ１２の導通試験を行う際に、このＴＣＰ１２のテープ１２ａの一端部１２ｆおよび他端部１２ｇをそれぞれ第１把持部材２０および第２把持部材３０で把持した状態で、これらの第１把持部材２０および第２把持部材３０を互いに近づけることにより、ＴＣＰ１２のテープ１２ａのチップ搭載部１２ｅを山形に折り曲げることができる。そのため、ＴＣＰ１２を折り曲げた状態で実装する場合と同様に、このＴＣＰ１２を折り曲げた状態で適正に評価することが可能となる。
【００５８】
なお、上記実施の形態１では、ＩＣソケット１１の取り扱い方法において、カバー部材５０を閉じた後、ハンドル４３を回して第２把持部材３０を前進させる場合について説明した。しかし、第２把持部材３０を前進させるためのプッシャー４４は、上述したとおり、その駆動片４５がテーパー形に形成されているので、カバー部材５０を閉じるときに、駆動片４５の下降動作をスライドプレート３１のローラーシャフト３８の前進動作に変換できることから、ハンドル４３を回してからカバー部材５０を閉じても、第２把持部材３０を前進させることが可能となる。
【００５９】
この場合、カバー部材５０を閉じるだけで、第２把持部材３０を第１把持部材２０に近づけることができるため、ＴＣＰ１２の折り曲げ状態での評価を容易に実施することが可能となる。これに加えて、複数のＴＣＰ１２に対して導通試験を連続的に行う際には、そのテープ１２ａのチップ搭載部１２ｅの山形の折り曲げ具合が変わらない限り、ＴＣＰ１２ごとに毎回ハンドル４３を回す必要がなくなるので、ＩＣソケット１１の取り扱いが容易となる。
【００６０】
また、上記実施の形態１では、第２把持部材３０を第１把持部材２０側へ移動させる推進機構４０がカバー部材５０に組み込まれたＩＣソケット１１について説明した。しかし、この推進機構４０の組込部位はカバー部材５０に限るわけではなく、例えば、ソケット本体１３のベース部１６に推進機構４０を組み込むことも可能である。さらに、この推進機構４０により、第２把持部材３０を第１把持部材２０側へ移動させる代わりに、第１把持部材２０を第２把持部材３０側へ移動させてもよく、或いは、第１把持部材２０および第２把持部材３０の双方を移動させて両者を近づけるようにしても構わない。つまり、第１把持部材２０および第２把持部材３０が互いに近づく方向に少なくとも一方を移動させればよいのである。
【００６１】
また、上記実施の形態１では、カバー部材５０を備えたＩＣソケット１１について説明したが、カバー部材を備えていないＩＣソケットにも、この発明を同様に適用することができる。
【００６２】
また、上記実施の形態１では、「電気部品」としてのＴＣＰ１２にこの発明を適用したが、柔軟性のあるテープ１２ａにＩＣチップ１２ｂが搭載されたものである限り、ＴＣＰ１２以外の電気部品にも、この発明を同様に適用することができる。
【００６３】
また、上記実施の形態１では、フローティングプレート２１および第１ラッチ２２を有する第１把持部材２０について説明したが、ＴＣＰ１２のテープ１２ａの一端部１２ｆを把持できるものである限り、これ以外の構成の第１把持部材２０を代用することも可能である。
【００６４】
また、上記実施の形態１では、スライドプレート３１および第２ラッチ３２を有する第２把持部材３０について説明したが、ＴＣＰ１２のテープ１２ａの他端部１２ｇを把持できるものである限り、これ以外の構成の第２把持部材３０を代用することも可能である。
【００６５】
また、上記実施の形態１では、馬蹄形のコンタクトピン１４が配設されたＩＣソケット１１について説明したが、コンタクトピン１４の形状は特に限定されず、馬蹄形以外のコンタクトピンを代用または併用しても構わない。
【００６６】
さらに、上記実施の形態１では、「電気部品用ソケット」としてのＩＣソケット１１にこの発明を適用したが、これに限らず、他の装置にも適用できることは勿論である。
【符号の説明】
【００６７】
１１……ＩＣソケット（電気部品用ソケット）
１２……ＴＣＰ（電気部品）
１２ａ……テープ
１２ｂ……ＩＣチップ
１２ｅ……チップ搭載部
１２ｆ……一端部
１２ｇ……他端部
１３……ソケット本体
１４……コンタクトピン
１５……収容部
１５Ａ……第１収容部
１５Ｂ……第２収容部
１６……ベース部
２０……第１把持部材
２１……フローティングプレート
２２……第１ラッチ
３０……第２把持部材
３１……スライドプレート
３２……第２ラッチ
３７……テープ誘導部材
３８……ローラーシャフト（従動片）
４０……推進機構
４５……駆動片
５０……カバー部材
５７……観察窓（開口）
５８……切り欠き（開口）
【図１】
0006639214.tif 000002
【図２】
0006639214.tif 000003
【図３】
0006639214.tif 000004
【図４】
0006639214.tif 000005
【図５】
0006639214.tif 000006
【図６】
0006639214.tif 000007
【図７】
0006639214.tif 000008
【図８】
0006639214.tif 000009